(57)【特許請求の範囲】
【請求項１】
複数の数字で構成される複数の群を含む当選確認番号の群のうち１つの群である当選番号と、上記群のうち当選番号である当選群の情報を含み、上記当選番号の群の数字の数と同じ数の数字を有し、上記群の数と同じ数の列で構成されるクーポン番号を含む即席クーポン情報を有するクーポンの上記即席クーポン情報からクーポン番号及び当選番号を検出し、クーポン番号から当選番号の当選群を計算した後、上記当選群の当選群番号とクーポン番号の一致度を計算し、一致度に応じた当選順位を決定して出力する当選確認部と、
広告をディスプレイするディスプレイ部と、  
上記当選順位に対応するように広告を上記ディスプレイ部に表示する広告提供部と、  
上記広告提供部を制御して上記当選順位に対応する広告を上記ディスプレイ部にディスプレイする制御部とを含み、
上記広告提供部は、 
少なくとも１つ以上の背景イメージを格納する背景広告イメージ格納部と、 
少なくとも当選順位に対応する数以上の広告オブジェクトイメージを格納する広告オブジェクトイメージ格納部と、 
上記当選順位を決定する際、任意の背景広告イメージをロードし、上記当選順位に対応する広告オブジェクトイメージを広告オブジェクトイメージ格納部からロードしてロードされた上記背景広告イメージに結合して広告を生成する広告生成部とを含むことを特徴とする即席クーポンを用いた広告提供装置。
【請求項２】
上記当選確認部は、
上記クーポンから即席クーポン情報を認識し、
即席クーポン情報から当選番号とクーポン番号を検出して出力する即席クーポン番号認識部と、
クーポン番号が入力され当選番号の当選群を計算して該当当選群の当選群番号を出力する当選番号生成部と、  
上記クーポン番号と上記当選群番号が入力されて上記クーポン番号と当選群番号との一致度を計算した後、一致度に応じた当選順位を上記制御部に出力する一致度計算部とを含むことを特徴とする請求項１に記載の即席クーポンを用いた広告提供装置。
【請求項３】
上記群の数は５つであり、上記各群は４つの数字で構成されることを特徴とする請求項１又は請求項２に記載の即席クーポンを用いた広告提供装置。  
【請求項４】
上記当選確認部は、  
当選番号の当選群番号と一致する番号がクーポン番号の何番目の列にあるかによって当選順位を決定することを特徴とする請求項１又は請求項２に記載の即席クーポンを用いた広告提供装置。
【請求項５】
上記当選確認部は、  
当選番号の当選群番号の数字とクーポン番号の各列の数字との一致する数字の数及び順序一致度に応じて当選順位を決定することを特徴とする請求項１又は請求項２に記載の即席クーポンを用いた広告提供装置。  
【請求項６】
上記広告提供部は、  
少なくとも１つ以上の広告を格納する広告格納部と、
上記広告格納部に格納された広告の中で任意の広告を上記当選順位に対応するように繰り返してディスプレイ部を介して出力する広告出力部とを含むことを特徴とする請求項１に記載の即席クーポンを用いた広告提供装置。  
【請求項７】
広告をディスプレイするディスプレイ部と、
複数の数字で構成される複数の群を含む当選確認番号の群のうち１つの群である当選番号と、上記群のうち当選番号である当選群の情報を含み、上記当選番号の群の数字の数と同じ数の数字を有し、上記群の数と同じ数の列で構成されるクーポン番号を含む即席クーポン情報を有するクーポンの上記即席クーポン情報からクーポン番号及び当選番号を検出し、クーポン番号から当選番号の当選群を計算した後、上記当選群の当選群番号とクーポン番号との一致度を計算し、一致度に応じた当選順位を決定して出力する当選確認部と、
上記当選順位が入力され、上記当選順位に対応する広告を上記ディスプレイ部を介して出力する広告提供部とを含み、
上記広告提供部は、 
広告の背景イメージを格納する背景広告イメージ格納部と、 
上記広告の背景イメージに結合される複数のオブジェクトに対するオブジェクトイメージを格納する広告オブジェクトイメージ格納部と、
上記当選順位が入力され、上記当選順位に対応する数のオブジェクトイメージと広告背景イメージをロードして上記広告背景イメージに上記オブジェクトイメージを結合して広告を生成した後、上記ディスプレイ部に表示する広告生成部とを含むことを特徴とする即席クーポンを用いた広告提供装置。
【請求項８】
上記当選確認部は、  
上記クーポンから即席クーポン情報を認識して即席クーポン情報の当選番号とクーポン番号を検出して出力する即席クーポン番号認識部と、  
上記クーポン番号が入力されて当選番号を生成する当選番号生成部と、  
上記生成された当選番号とクーポン番号を比較して一致度を計算し、一致度に応じた当選順位を決定して上記広告提供部に出力する一致度計算部とを含むことを特徴とする請求項７に記載の即席クーポンを用いた広告提供装置。
【請求項９】
上記広告提供部は、  
当選順位情報を有する互いに異なる多数の広告を格納する広告格納部と、  
上記当選順位が入力され、上記広告格納部から上記当選順位と同一の当選順位情報を有する広告をロードして上記ディスプレイ部を介して表示する広告出力部とを含むことを特徴とする請求項８に記載の即席クーポンを用いた広告提供装置。  
【請求項１０】
広告提供方法において、
クーポン当選確認要求による即席当選番号認識部を駆動する準備過程と、
ユーザによる認識要求の発生時に即席当選番号認識部を介して複数の数字で構成される複数の群を含む当選確認番号の群のうち１つの群である当選番号と、上記群のうち当選番号である当選群の情報を含み、上記当選番号の群の数字の数と同じ数の数字を有し、上記群の数と同じ数の列で構成されるクーポン番号を含む即席クーポン番号を認識する認識過程と、
上記認識された即席クーポン番号から当選群番号である当選番号を取得する当選番号取得過程と、
上記当選番号とクーポン番号との一致度を計算し、計算された一致度に対応する当選順位を決定する当選順位決定過程と、
上記当選順位に応じた広告をディスプレイ部にディスプレイする広告提供過程とを含み、
上記広告提供過程は、 
上記当選順位を決定する際、任意の広告背景イメージをロードする広告背景イメージローディングステップと、 
上記当選順位に対応する数の広告オブジェクトイメージをロードする広告オブジェクトイメージローディングステップと、 
ロードされた上記広告背景イメージにロードされた上記広告オブジェクトイメージを結合して広告を生成する広告生成ステップと、 
上記生成された広告をディスプレイ部に表示する広告提供ステップとを含むことを特徴とする即席クーポンを用いた広告提供方法。
【請求項１１】
上記広告提供過程は、  
上記当選順位を決定する際、任意の広告をロードする広告ローディングステップと、  
上記ロードされた広告を上記当選順位に対応するように繰り返してディスプレイ部に表示する広告提供ステップとを含むことを特徴とする請求項１０に記載の即席クーポンを用いた広告提供方法。  
【請求項１２】
上記広告提供過程は、  
当選順位にマッピングして格納された広告から上記当選順位に対応する広告をロードしてディスプレイすることを特徴とする請求項１０に記載の即席クーポンを用いた広告提供方法。
【発明の詳細な説明】
【技術分野】
【０００１】
本発明は、広告提供装置及びその方法に関し、特に、即席クーポン番号を含む即席クーポンを提供し、当選番号を含むクーポンに記録された即席クーポン番号によってどこでも当選したかどうかを確認することができ、即席クーポン番号の当選順位を決定する際、当選順位に対応する広告を提供し、その広告を視聴し終わったユーザに当選順位を知らせて景品を提供する即席クーポンを用いた広告提供装置及びその方法に関する。  
【背景技術】
【０００２】
一般に、マーケティングの一種として、商品の購入時に景品を直接提供したり、商品の購入を誘導するために、様々な種類のクーポンを用いて自社のウェブサイトにアクセスするように誘導して広告を提供し、入力されたクーポン番号が当選したかどうかを確認して景品を提供する景品マーケティングが多用されている。
通常、景品とは、一定期間中にある商品を購入した顧客に他の品物を無料又は値引きして提供するものをいう。景品は、顧客データベースを構築する手段として利用され、ブランドのイメージを高めることに貢献する。
しかしながら、商品の購入時に景品を提供するマーケティングよりは、広報効果及び商品の購入誘導や顧客情報の収集のために、クーポンを用いた景品券、ギフト券及び入場券を支給しながらクーポンユーザに広告イメージ及び広告映像を見せることができるウェブサイトを用いた広告マーケティングが主に利用されている。通常、景品支給クーポンは、クーポン番号が印刷されており、景品支給方式としては、上記クーポン番号をコンピュータなどを用いて該当サイトにアクセスしたクーポンユーザに自社の商品を広報する広告を見せると同時に、クーポンユーザにより上記クーポンのクーポン番号が入力されて登録された後、景品を提供する無条件支給方式と、入力されたクーポン番号が当選されたクーポン番号である場合にのみ景品を提供する当選方式などが主に利用されている。
【０００３】
上述したように、従来のクーポンを用いた景品支給方法は、クーポンユーザが毎回コンピュータなどを用いて上記クーポンを提供する業者のサイトにアクセスした後、いちいちクーポンに記載されたクーポン番号を入力して当選したかどうかを確認しなければならないという手間があった。  
なお、従来の景品支給方法は、クーポンユーザが広告を視聴したかどうかとは全く関係なく、広告を見なくてもクーポン番号をウェブサイトに記載して景品に当選したかどうかを確認できるので、広告の効率性が低下するという問題があった。
【発明の概要】
【発明が解決しようとする課題】
【０００４】
したがって、本発明の目的は、即席クーポン番号を含む即席クーポンを提供し、当選番号を含むクーポンに記録された即席クーポン番号によってどこでも当選したかどうかを確認することができ、即席クーポン番号の当選順位を決定する際、当選順位に対応する広告を提供し、広告を見終わったユーザに当選順位を知らせて景品を提供する即席クーポンを用いた広告提供装置及びその方法を提供することにある。
【課題を解決するための手段】
【０００５】
上記のような目的を達成するための本発明の第１の実施例に係る即席クーポンを用いた広告提供装置は、複数の数字で構成される複数の群を含む当選確認番号の群のうち１つの群である当選番号と、上記即席クーポン情報に含まれ、上記群のうち当選番号である当選群の情報を含み、上記当選番号の群の数字の数と同じ数の数字を有し、上記群の数と同じ数の列で構成されるクーポン番号を含む即席クーポン情報を有するクーポンの上記即席クーポン情報からクーポン番号及び当選番号を検出し、クーポン番号から当選番号の当選群を計算した後、上記当選群の当選群番号とクーポン番号との一致度を計算し、一致度に応じた当選順位を決定して出力する当選確認部と、広告を表示するディスプレイ部と、上記当選順位に対応する広告を上記ディスプレイ部に表示する広告提供部と、上記広告提供部を制御して上記当選順位に対応する広告を上記ディスプレイ部にディスプレイする制御部とを含むことを特徴とする。
【０００６】
上記当選確認部は、上記クーポンから即席クーポン情報を認識し、即席クーポン情報から当選番号とクーポン番号を検出して出力する即席クーポン番号認識部と、クーポン番号が入力され当選番号の当選群を計算して該当当選群の当選群番号を出力する当選番号生成部と、上記クーポン番号と上記当選群番号が入力されて上記クーポン番号と当選群番号との一致度を計算した後、一致度に応じた当選順位を上記制御部に出力する一致度計算部とを含むことを特徴とする。  
上記群の数は５つであり、上記各群は４つの数字で構成されることを特徴とする。
【０００７】
上記当選確認部は、当選番号の当選群番号と一致する番号がクーポン番号の何番目の列にあるかによって当選順位を決定することを特徴とする。  
上記当選確認部は、当選番号の当選群番号の数字とクーポン番号の各列の数字と一致する数字の数及び順序の一致度に応じて当選順位を決定することを特徴とする。
上記広告提供部は、少なくとも１つ以上の広告を格納する広告格納部と、上記広告格納部に格納された広告の中で任意の広告を上記当選順位に対応するように繰り返してディスプレイ部を介して出力する広告出力部とを含むことを特徴とする。
【０００８】
上記広告提供部は、少なくとも１つ以上の背景イメージを格納する背景広告イメージ格納部と、少なくとも当選順位に対応する数以上の広告オブジェクトイメージを格納する広告オブジェクトイメージ格納部と、上記当選順位を決定する際、任意の背景広告イメージをロードし、上記当選順位に対応する広告オブジェクトイメージを広告オブジェクトイメージ格納部からロードしてロードされた上記背景広告イメージに結合して広告を生成する広告生成部とを含むことを特徴とする。
【０００９】
上記のような目的を達成するための本発明の第２の実施例に係る即席クーポンを用いた広告提供装置は、広告をディスプレイするディスプレイ部と、複数の数字で構成される複数の群を含む当選確認番号の群のうち１つの群である当選番号と、上記即席クーポン情報に含まれ、上記群のうち当選番号である当選群の情報を含み、上記当選番号の群の数字の数と同じ数の数字を有し、上記群の数と同じ数の列で構成されるクーポン番号を含む即席クーポン情報を有するクーポンの上記即席クーポン情報からクーポン番号及び当選番号を検出し、クーポン番号から当選番号の当選群を計算した後、上記当選群の当選群番号とクーポン番号との一致度を計算し、一致度に応じた当選順位を決定して出力する当選確認部と、上記当選順位が入力され、上記当選順位に対応する広告を上記ディスプレイ部を介して出力する広告提供部とを含むことを特徴とする。
【００１０】
上記当選確認部は、上記クーポンから即席クーポン情報を認識して即席クーポン情報の当選番号とクーポン番号を検出して出力する即席クーポン番号認識部と、上記クーポン番号が入力されて当選番号を生成する当選番号生成部と、上記生成された当選番号とクーポン番号を比較して一致度を計算し、一致度に応じた当選順位を決定して上記広告提供部に出力する一致度計算部とを含むことを特徴とする。  
上記広告提供部は、当選順位情報を有する互いに異なる多数の広告を格納する広告格納部と、上記当選順位が入力され、上記広告格納部から上記当選順位と同一の当選順位情報を有する広告をロードして上記ディスプレイ部を介して表示する広告出力部とを含むことを特徴とする。
上記広告提供部は、広告の背景イメージを格納する背景広告イメージ格納部と、上記広告の背景イメージに結合される複数のオブジェクトに対するオブジェクトイメージを格納する広告オブジェクトイメージ格納部と、上記当選順位が入力され、上記当選順位に対応する数のオブジェクトイメージと広告背景イメージをロードして上記広告背景イメージに上記オブジェクトイメージを結合して広告を生成した後、上記ディスプレイ部に表示する広告生成部とを含むことを特徴とする。
上記のような目的を達成するための本発明の広告提供装置における即席クーポンを用いた広告提供方法は、広告提供方法において、クーポン当選確認の要求による即席当選番号認識部を駆動する準備過程と、ユーザによる認識要求の発生時に即席当選番号認識部を介して複数の数字で構成される複数の群を含む当選確認番号の群のうち１つの群である当選番号と、上記即席クーポン情報に含まれ、上記群のうち当選番号である当選群の情報を含み、上記当選番号の群の数字の数と同じ数の数字を有し、上記群の数と同じ数の列で構成されるクーポン番号を含む即席クーポン番号を認識する認識過程と、上記認識された即席クーポン番号から当選群番号である当選番号を取得する当選番号取得過程と、上記当選番号とクーポン番号の一致度を計算し、計算された一致度に対応する当選順位を決定する当選順位決定過程と、上記当選順位に応じた広告をディスプレイ部にディスプレイする広告提供過程とを含むことを特徴とする。
【００１１】
上記広告提供過程は、上記当選順位を決定する際、任意の広告をロードする広告ローディングステップと、上記ロードされた広告を上記当選順位に対応するように繰り返してディスプレイ部に表示する広告提供ステップとを含むことを特徴とする。
【００１２】
上記広告提供過程は、当選順位にマッピングして格納された広告から上記当選順位に対応する広告をロードしてディスプレイすることを特徴とする。
【００１３】
上記広告提供過程は、上記当選順位を決定する際、任意の広告背景イメージをロードする広告背景イメージローディングステップと、上記当選順位に対応する数の広告オブジェクトイメージをロードする広告オブジェクトイメージローディングステップと、ロードされた上記広告背景イメージにロードされた上記広告オブジェクトイメージを結合して広告を生成する広告生成ステップと、上記生成された広告をディスプレイ部に表示する広告提供ステップとを含むことを特徴とする。
【発明の効果】
【００１４】
本発明は、スマートフォンなどのような移動通信端末により即席クーポンの即席クーポン番号を認識して当選したかどうかをすぐに確認することができるので、ユーザに楽しみを与え、利便性を向上させることができ、又、ユーザの当選に対する信頼性を向上させることができる効果を有する。  
なお、本発明は、当選時に広告を提供するので、広告のディスプレイによって当選したかどうかが分かり、ユーザがディスプレイされる広告を見終わった場合にのみ当選順位が分かるので、広告に対する集中度を高めることができる効果を有する。
【００１５】
なお、本発明は、当選時に広告をすべて確認した場合にのみ景品を提供するため、広告に対する集中度を高めながらも、ユーザが広告全体を視聴するようにすることで、広告の効率を向上させることができる効果を有する。
【図面の簡単な説明】
【００１６】
【図１】本発明の第１の実施例に係る即席クーポンを用いた広告提供システムの構成を示す図である。
【図２】本発明の第２の実施例に係る即席クーポンを用いた広告提供装置の構成を示す図である。
【図３】本発明の第３の実施例に係る即席クーポンを用いた広告提供装置の構成を示す図である。
【図４】本発明の第４の実施例に係る即席クーポンを用いた広告提供装置の構成を示す図である。
【図５】本発明の第５の実施例に係る即席クーポンを用いた広告提供装置の構成を示す図である。
【図６】本発明に係る即席クーポンを用いた広告提供方法を示すフローチャートである。
【図７】本発明に係る即席クーポン番号の一致度計算による当選順位決定の一例を説明するための図である。
【図８】本発明に係る即席クーポン番号の一致度計算による当選順位に応じた広告表示の一例を示す図である。
【発明を実施するための形態】
【００１７】
以下、図面を参照して望ましい実施例により本発明に係る即席クーポンを用いた広告提供システム、装置の構成及び動作を説明し、それによる広告提供方法を説明するが、本発明は、これらの実施例により限定されるものではない。
本発明は、スマートフォンのような移動通信端末などのような広告提供装置のみを用いてクーポン番号と当選番号をすべて内包している一定の桁数の即席クーポン番号を有するクーポンが当選したかどうかをすぐに確認し、当選順位に相応する広告をユーザに見せるが、広告内の広告オブジェクトの数、広告の繰り返し回数、広告の数によって当選順位を知らせた後上記当選順位に対応する景品を提供する装置及びシステムに関するものである。
【００１８】
このような本発明は、上述した移動通信端末のような広告提供装置のメモリ容量及び業務負荷を軽減するために広告を遠隔地のサーバに格納して広告提供装置から要求がある時に当選順位に相応する該当広告を提供するシステム方式と、１つの広告提供装置で動作するようにする端末方式を適用することができる。  
下記の図１は、システム方式における広告提供システムの構成を示すものである。
【００１９】
図１を参照すると、本発明に係る即席クーポンを用いた広告提供システムは、広告提供装置（又は「広告提供端末」とする。）１００と広告提供サーバ部２００とを含む。
【００２０】
広告提供装置１００と広告提供サーバ部２００は、有線又は無線データネットワーク１５０を介して接続されたり、有線又は無線データネットワーク１５０及びローカルネットワーク１６０を介して接続される。
【００２１】
広告提供装置１００は、即席クーポンを用いた広告提供アプリケーションがインストールされたスマートフォンなどのような移動通信端末１０１−１又はコンピュータ１０１−２などであり、本発明によってクーポンからクーポン番号と当選番号を含む即席クーポン情報を認識し、認識された即席クーポン情報からクーポン番号と当選番号を検出してクーポン番号と当選番号との一致度を計算し、計算された一致度に応じた当選順位を決定した後、順位情報を広告提供サーバ部２００に送信する。広告提供装置１００は、上記当選順位情報の送信に応答して広告が受信されると、当選順位に応じて広告をディスプレイしてクーポンユーザに見せた後当選順位に対応する景品を提供する。ここで、景品の提供は、例えばモバイル景品であり、又は物理的な景品でありうる。このような景品の提供方法は従来と同じであるので、以下では詳細に説明しない。  
上記当選番号は、例えば、あらかじめ格納されている番号であり、又は即席クーポン番号の生成時にクーポン番号に応じてその時に生成される番号でありうる。
前者の場合、広告提供装置１００は、当選番号の更新のたびに広告提供サーバ２００に接続して当選番号を受信することもでき、アプリケーションのアップデートによりあらかじめ受信して格納していてもよい。
【００２２】
又、上記後者の方法の場合、当選番号は、クーポン番号の生成時にクーポン番号によって生成された番号でありうる。そして、上述のように即席クーポン番号が当選番号を含む当選確認番号と、上記当選確認番号から当選番号を抽出できる情報を含むクーポン番号で構成され、上記当選番号を含む上記当選確認番号が関与してクーポン番号を生成するように構成された場合、上記当選番号は、逆に当選確認番号から上記クーポン番号に基づいて検出された番号でありうる。
【００２３】
上記後者の方法について例を挙げて説明すると、上記即席クーポン情報（番号）のクーポン番号は、それぞれ４つの数字で構成される５つの列で構成され、当選番号は、４つの数字で構成される５つの群で構成される（ここで、列と群は、同じ意味であるが、区別するために異なる用語を使用した。）。クーポン番号は当選番号の当選群を判断できる情報を含む。すなわち、クーポン番号の生成時に当選番号の任意の群の当選群番号が関与する。
【００２４】
広告提供サーバ部２００は複数の広告を格納しており、上記広告は、例えばそれぞれ当選順位とマッチングしているデータベース（図示せず）を含む
このような広告提供サーバ部２００は、上記広告提供装置１００から当選順位を受信し、データベースに登録されている任意の広告を広告提供装置１００に提供するか、上記当選順位と同一の当選順位にマッチングしている広告をデータベースからロードして広告提供装置１００に提供する。
【００２５】
広告提供サーバ部２００は、上記したように、当選順位に関係なく、任意の広告を提供できるようにすることもでき、当選順位に応じた互いに異なる広告を格納した後受信した当選順位に相応する広告を提供することもでき、当選順位に応じて同一の広告に対して上記広告に挿入されるオブジェクト（人、動物、車等）の数を異にする広告を生成して提供することもできる。当選順位に関係なく、任意の広告を提供する場合、広告提供装置１００は、提供された広告を利用して直接広告に挿入されるオブジェクトの数を異にする当選順位に応じた広告を再生成して表示するように構成されることが望ましい。
【００２６】
図２は、本発明の第２の実施例に係る即席クーポンを用いた広告提供装置の構成を示す図であり、図３は、本発明の第３の実施例に係る即席クーポンを用いた広告提供装置の構成を示す図である。図２及び図３の参照において同じ動作を行う構成についての重複説明は省略する。  
先ず、図２を参照して第２の実施例の構成を説明すると、本発明に係る広告提供装置は、制御部１０と格納部２０と入力部３０とディスプレイ部４０と当選確認部５０と広告提供部６０とを含む。  
制御部１０は、広告提供装置の全般的な動作を制御する。
【００２７】
格納部２０は、広告提供装置１００の全体的な動作を制御するための制御プログラムを格納するプログラム領域と、上記プログラムの実行中に発生するデータを一時的に格納する臨時領域と、様々なパラメータ及びユーザによって発生したアプリケーションデータ及び本発明に係る広告提供装置１００の動作を提供するアプリケーションインストールデータを格納するデータ領域とを含む。本発明が即席クーポンを用いた広告提供装置１００専用に構成される場合、上記アプリケーションインストールデータに対応する制御プログラムが上記制御プログラム領域に構成される。
入力部３０は、数字及び文字を入力できる多数のキーを含むキーパッド、又はディスプレイ部と一体に構成され、タッチされたディスプレイ部に対応する位置の座標データを出力するタッチパッドなどである。本発明のクーポンに印刷される即席クーポン情報が番号の形で印刷される場合、入力部３０は、上記即席クーポン番号がクーポンユーザから入力されて制御部１００に出力する。  
ディスプレイ部４０は、広告提供装置１００の様々な動作状態に関する情報を表示し、上記制御部１０の制御を受け広告データが入力されてディスプレイする。
当選確認部５０は即席クーポン番号認識部５１と当選番号生成部５２の一致度計算部５３とを含み、即席クーポンの即席クーポン番号を認識した後、当選番号と比較して当選したかどうかを確認した後当選順位を出力する。
具体的には、即席クーポン番号認識部５１は、カメラ又はスキャナなどを含んで即席クーポンに印刷された即席クーポン情報を認識して出力する。上記即席クーポン情報は、例えば即席クーポン番号であり、又は即席クーポン番号が暗号化されているＱＲコードでありうる。
当選番号生成部５２は、上述したように、当選番号を予め格納していたら、即席クーポン番号認識部５１から即席クーポン番号が入力されると当選番号を一致度計算部５３に出力するように構成することもでき、５つの群で構成され、上記各群が４つの数字で構成される当選確認番号と、５つの列で構成され、上記各列が４つの数字で構成されるクーポン番号を含む場合、上記即席クーポン番号のクーポン番号から当選確認番号の当選群を判断して該当群の当選群番号を当選番号として一致度計算部５３に出力するように構成することもできる。即ち、後者の場合は、当選確認番号及び上記当選確認番号の当選群に関する情報を有するクーポン番号を含むようにして、上記当選番号生成部５２が上記クーポン番号によって逆に当選群を判断し、当選群の番号を当選番号として生成して出力するように構成される。上記当選群は、５つの群で形成される場合、上記クーポン番号の一番目の列の数字の和の６剰余演算（％６）によって計算された値（０は除外）となる。例えば、一番目の列の４つの数字が１、２、３、４の場合、和は１０であり、６剰余演算  は４であるので、当選確認番号の４番目の群の番号が当選番号となる。この他にも群を指定する方法は多様に適用することができる。  
一致度計算部５３は、上記即席クーポン番号認識部５１から入力される即席クーポン番号と当選番号生成部５２から出力される当選番号が入力され、これらを比較して一致度を計算し、一致度に応じた当選順位を制御部１０に出力する。
広告提供部６０は、互いに異なる当選順位とマッチングされる様々な広告データを格納する広告格納部６２と、上記一致度計算部５３から出力される当選順位が制御部１０により入力され、上記当選順位に対応する広告データをディスプレイ部４０に出力させて表示させる広告出力部６１とを含む。  
制御部１０などを含まない第３の実施例の場合、当選確認部５０の一致度計算部５３は、当選順位をすぐに広告提供部６０の広告出力部６１に出力するように構成し、広告提供部６０の広告出力部６１は、当選順位に対応する広告データをディスプレイ部４０に表示させる。このとき、ディスプレイ部４０は、制御部１０の制御を受けて動作するのではなく、広告出力部６１の直接的な制御を受ける。
そして、入力部３０は、ユーザからの当選確認要求及び認識要求などの信号をすぐに即席クーポン番号認識部５１に出力するように構成されなければならない。  
図４は、本発明の第４の実施例に係る即席クーポンを用いた広告提供装置の構成を示す図であり、図５は、第５の実施例に係る即席クーポンを用いた広告提供装置の構成を示す図である。図４と図５は、図２と図３のように、制御部１０などの存在によって区分される実施例であり、図４及び図５と図２及び図３は、広告提供部６０の構成によって区分される実施例である。  
したがって、以下の説明では、第４の実施例及び第５の実施例に係る広告提供部６０の構成のみを説明する。
第４の実施例及び第５の実施例に係る広告提供部６０は、広告の背景イメージに対応する背景広告イメージ格納部６４と、複数のオブジェクトイメージを格納し、互いに異なる当選順位に対応する広告オブジェクトの数及び種類を定義する広告オブジェクトイメージ格納部６５と、一致度計算部５３から出力された当選順位の入力時に上記背景広告イメージ格納部６４から広告背景イメージをロードし、上記当選順位に対応するオブジェクトの種類と数を決定し、決定された数と該当種類のオブジェクトをロードして上記広告背景イメージに合成して出力する広告生成部６３とを含む。  
そして、本発明の第１の実施例に係る広告提供装置１００は、上述した第２〜第５の実施例と同様に、制御部１０、格納部２０、入力部３０、ディスプレイ部４０及び当選確認部５０を含み、広告提供部６０が含まれない代わりに、有線又は無線データネットワーク１５０に接続してデータ通信を行うための通信部８０を必ず含まなければならない。
図６は、本発明に係る即席クーポンを用いた広告提供方法を示すフローチャートである。以下、制御部を含む構成である図２及び図４と図６を参照して説明する。  
先ず、広告提供装置１００の制御部１０は、入力部３０を介して当選確認要求信号が入力されるかを確認する（Ｓ３１１）。  
制御部１０は、上記当選確認要求信号が入力されると即席クーポン番号認識部５１を駆動させ（Ｓ３１３）、入力部３０を介して認識要求が発生するかを確認する（Ｓ３１５）。  
認識要求が発生すると、制御部１０は、当選確認部５０を介してクーポンの即席クーポン番号を認識した後、クーポン番号と当選番号とを比較して当選したかどうかを確認する（Ｓ３１７）。
具体的には、制御部１０は、即席クーポン番号認識部５１を介して即席クーポン情報を撮影又はスキャンした後、文字認識又はＱＲコード逆暗号化によって即席クーポン番号を認識する（Ｓ３１７−１）。  
認識された即席クーポン番号は当選番号生成部５２及び一致度計算部５３に出力される。  
当選番号生成部５２は、上記認識された即席クーポン番号が入力されると、予め格納されている当選番号を一致度計算部５３に出力したり、上記即席クーポン番号から当選番号を生成して一致度計算部５３に出力する（Ｓ３１７−２）。
当選番号及び即席クーポン番号が入力されると、一致度計算部５３は、当選番号と即席クーポン番号の一致度を計算した（Ｓ３１７−３）後、一致度による順位化を行って当選順位を制御部１０に出力する（Ｓ３１７−４）。
制御部１０は、上記即席クーポン番号の認識要求後当選順位が一致度計算部５３から入力されるかを確認し（Ｓ１９）、当選順位が一致度計算部５３から入力されると、当選順位に対応する広告をディスプレイ部４０に表示させる（Ｓ３２５）。  
図７は、本発明に係る即席クーポン番号の一致度計算による当選順位決定の一例を説明するための図であり、図８は、本発明に係る即席クーポン番号の一致度計算による当選順位に応じた広告表示の一例を示す図であって、即席クーポン番号が当選確認番号とクーポン番号で構成され、上記即席クーポン情報に含まれた上記当選番号は、複数の数字で構成される複数の群で構成される当選確認番号の群のうち１つの群に属する数字であり、上記即席クーポン情報に含まれた上記クーポン番号は、上記群のうち当選番号である当選群の情報を含む上記当選番号の群の数字の数と同じ数の数字を有し、上記群の数と同じ数の列で構成される場合を示したものである。    この場合、制御部１０は、Ｓ３１７−１で即席クーポン番号を認識し、当選群の当選番号（又は「当選群番号」とする。）を取得して図７の（ａ）のように表示し、タッチパッド又はキーパッドなどの入力部３０からタッチ信号又は任意のファンクションキー信号が入力されるたびに（ｂ）→（ｃ）→（ｄ）のように循環進行しながら上部の当選確認番号の当選群番号、即ち、当選番号と一致する番号が当選群番号の当選群から何番目にあるのかに応じて順位を決定することもできる。
他の方法として、制御部１０は、広告生成部６３により、図８のように当選確認番号の当選番号が位置した群の位置と同一のクーポン番号の列位置の数字との一致度に応じて当選順位別に（ａ）のように‘ハズレ’のイメージを、（ｂ）のように広告背景イメージのみを、（ｃ）のように広告背景イメージ（海の中）に１つの広告オブジェクト（カメ）イメージを結合した広告データを、（ｄ）のように同一の広告背景イメージに２つの広告オブジェクト（カメ、クラゲ）イメージを結合した広告データを、（ｅ）のように同一の広告背景イメージに３つの広告オブジェクト（カメ、クラゲ、サメ）イメージを結合した広告データを、（ｆ）のように同一の広告背景イメージに４つの広告オブジェクト（カメ、クラゲ、サメ、クジラ）イメージを結合した結合広告データを生成してディスプレイ部４０を介して表示させるように構成することもできる。
又他の方法として、制御部１０は、当選順位に応じて同一の広告を当選順位に相応する数だけ繰り返してディスプレイした後景品を提供する方式を適用することもできる。  
【符号の説明】
【００２８】
１０            制御部     ２０            格納部  
３０            入力部     ４０            ディスプレイ部  
５０            当選確認部 ５１            即席クーポン番号認識部
５２            当選番号生成部            ５３    一致度計算部  
６０            広告提供部 ６１            広告出力部  
６２            広告格納部 ６３            広告生成部  
６４            背景広告イメージ格納部
６５            広告オブジェクトイメージ格納部  
８０            通信部    １００            広告提供装置
１０１            広告提供端末                    １５０              有線又は無線データネットワーク
１６０            ローカルネットワーク              
２００            広告提供サーバ部            ２１０  広告サーバ  
２２０            アプリケーションサーバ
【図１】
0005892400.tif 000002
【図２】
0005892400.tif 000003
【図３】
0005892400.tif 000004
【図４】
0005892400.tif 000005
【図５】
0005892400.tif 000006
【図６】
0005892400.tif 000007
【図７】
0005892400.tif 000008
【図８】
0005892400.tif 000009